(57)【要約】【課題】  電子ズームの使い勝手を向上させること。【解決手段】  ズーム操作手段でユーザーが予め決められた操作を行った場合に、撮像された画像を縮小処理により画素数を変化させる第１の電子ズーム処理から拡大処理により画素数を変化させる第２の電子ズーム処理へ移行することにより移行を制限する。【選択図】  図５
2008042847.tif 000002
【特許請求の範囲】
【請求項１】
ユーザーが撮像画像のズーム指示を行うズーム操作手段と、
前記ズーム操作手段によるユーザーのズーム指示に基づいて撮像された画像を縮小処理により画素数を変化させる第１の電子ズーム処理と拡大処理により画素数を変化させる第２の電子ズーム処理とが可能な電子ズーム手段と、
該電子ズーム手段は、前記ズーム操作手段でユーザーが予め決められた操作を行った場合に前記第１の電子ズーム処理から前記第２の電子ズーム処理へ移行し、前記ズーム操作手段でユーザーが当該予め決められた操作を行わない場合には前記第１の電子ズーム処理から前記第２の電子ズーム処理への移行を制限することを特徴とする画像処理装置。
【請求項２】
前記第１の電子ズーム処理および前記第２の電子ズーム処理は、撮像画像の画素数を記録画素数に対してそれぞれ縮小処理または拡大処理することを特徴とする請求項１に記載の画像処理装置。
【請求項３】
記録画素数が多いほど前記第１の電子ズーム処理から前記第２の電子ズーム処理への移行が低倍率になることを特徴とする請求項１または２に記載の画像処理装置。
【請求項４】
前記第１の電子ズーム処理から前記第２の電子ズーム処理への移行の際の制限は、前記第２の電子ズーム処理から前記第１の電子ズーム処理への移行の際には行わない制限であることを特徴とする請求項１乃至３のいずれか１項に記載の画像処理装置。
【請求項５】
前記第２の電子ズーム処理から前記第１の電子ズーム処理への移行の際には移行の制限を行わないことを特徴とする請求項１乃至４のいずれか１項に記載の画像処理装置。
【請求項６】
さらに、静止画を撮影する静止画モードと動画を記録する動画モードを持ち、
前記電子ズーム手段は、前記動画モードにおいて前記第１、第２の電子ズーム処理の移行の際には移行の制限を行わず、前記静止画モードにおいて前記制限を行うことを特徴とする請求項１乃至５のいずれか１項に記載の画像処理装置。
【請求項７】
前記電子ズーム手段は、動画記録を行っている場合に前記制限を行うことを特徴とする請求項１乃至５のいずれか１項に記載の画像処理装置。
【請求項８】
さらに、ズーム領域を表示する表示手段を持ち、
第１の電子ズーム処理を表わすズーム領域と第２の電子ズーム処理を表わすズーム領域とで表示色を変えることを特徴とする請求項１乃至７のいずれか１項に記載の画像処理装置。
【請求項９】
前記予め決められた操作とは、ズーム操作手段を一度離してから再度押す操作であることを特徴とする請求項１乃至８のいずれか１項に記載の画像処理装置。
【請求項１０】
前記予め決められた操作とは、ズーム操作手段を予め決められた時間以上押し続ける操作であることを特徴とする請求項１乃至８のいずれか１項に記載の画像処理装置。
【請求項１１】
ユーザーが撮像画像のズーム指示を行うズーム操作手段と、前記ズーム操作手段によるユーザーのズーム指示に基づいて撮像された画像を縮小処理により画素数を変化させる第１の電子ズーム処理と拡大処理により画素数を変化させる第２の電子ズーム処理とが可能な電子ズーム手段とを有する画像処理装置の制御方法であって、
前記ズーム操作手段でユーザーが予め決められた操作を行った場合に前記第１の電子ズーム処理から前記第２の電子ズーム処理へ移行し、当該予め決められた操作を行わない場合には前記第１の電子ズーム処理から前記第２の電子ズーム処理への移行を制限することを特徴とする制御方法。
【発明の詳細な説明】
【技術分野】
【０００１】
本発明は、電子的に撮像画像の画角を変更する電子ズーム技術に関するものである。
【背景技術】
【０００２】
デジタルカメラ等の画像処理装置ではユーザー操作により撮影画角を広角から望遠まで連続的に変更できるズーム機能を搭載していることが一般的である。
【０００３】
そのズーム機能は、ズームレンズといった光学系を用いた光学ズームに加え、撮像した画像を電子処理により画角を変更する電子ズーム機能を併せ持った画像処理装置も多い。
【０００４】
この電子ズーム機能には、拡大処理によるものと縮小処理によるものがある。すなわち、画像記録サイズが撮像画像のデータサイズより小さい場合には、例えば画素補間などの画質劣化を生じるリサイズ処理としての電子的な拡大処理をすることなく画像記録が行える。一方で、撮像画像から切り出すことで画角を変更した撮像画像の画素数が画像記録画素数よりも小さい場合には、画質劣化の生じた画像記録になってしまう。画素補間などのリサイズ処理としての電子的な拡大処理を行うためである。
【０００５】
そこで、電子的な縮小処理のみの画質劣化のない電子ズームモードと電子的な拡大処理を含む画質劣化の生じる電子ズームモードとをモード設定により切り替えることを可能にした信号処理装置が提案されている（特許文献１参照）。
【特許文献１】特開２００４−２６６７７４号公報
【発明の開示】
【発明が解決しようとする課題】
【０００６】
しかしながら、特許文献１で提案されている信号処理技術においては、電子的な縮小処理の画質劣化のない電子ズームモードと電子的な拡大処理を含む画質劣化の生じる電子ズームモードとをモード設定により切り替える。このため、ユーザーは現在のモードを意識する必要が生じる。また、用途に応じてモードを切り替えるという煩雑性を伴う場合がある。
【０００７】
本発明は上記問題点を鑑みてなされたものであり、使い勝手のよい電子ズーム技術を提供することを目的とする。
【課題を解決するための手段】
【０００８】
本発明に係る画像処理装置においては、ユーザーが撮像画像のズーム指示を行うズーム操作手段と、前記ズーム操作手段によるユーザーのズーム指示に基づいて撮像された画像を縮小処理により画素数を変化させる第１の電子ズーム処理と拡大処理により画素数を変化させる第２の電子ズーム処理とが可能な電子ズーム手段と、該電子ズーム手段は、前記ズーム操作手段でユーザーが予め決められた操作を行った場合に前記第１の電子ズーム処理から前記第２の電子ズーム処理へ移行し、当該予め決められた操作を行わない場合には前記第１の電子ズーム処理から前記第２の電子ズーム処理への移行を制限する。
【０００９】
また、本願における制御方法においては、ユーザーが撮像画像のズーム指示を行うズーム操作手段と、前記ズーム操作手段によるユーザーのズーム指示に基づいて撮像された画像を縮小処理により画素数を変化させる第１の電子ズーム処理と拡大処理により画素数を変化させる第２の電子ズーム処理とが可能な電子ズーム手段とを有する画像処理装置の制御方法であって、前記ズーム操作手段でユーザーが予め決められた操作を行った場合に前記第１の電子ズーム処理から前記第２の電子ズーム処理へ移行し、当該予め決められた操作を行わない場合には前記第１の電子ズーム処理から前記第２の電子ズーム処理への移行を制限する。
【発明の効果】
【００１０】
本発明によれば、使い勝手の良い操作性の向上した電子ズーム技術を提供できる。
【発明を実施するための最良の形態】
【００１１】
以下、本発明の実施形態を添付図面について参照しながら詳細に説明する。
【００１２】
図１は、本発明の一実施形態の構成を示したブロック図である。
【００１３】
図１において、１００は画像処理装置である。１０は撮影レンズ、１４は光学像を撮像素子で電気信号に変換する撮像部、１６は撮像部１４のアナログ信号出力をディジタル信号に変換するＡ／Ｄ変換器部である。本実施例においては、撮像部１４は約６００万のフォトダイオードを有している。
【００１４】
なお、図１以下の説明における各ブロック図ではその機能として部という表現を使う。この点、回路等のハードで構成してもプログラムなどのソフトで構成しても構わない。
【００１５】
１８は撮像部１４、Ａ／Ｄ変換器部１６、Ｄ／Ａ変換器部２６にクロック信号や制御信号を供給するタイミング発生部であり、メモリ制御部２２及びシステム制御部５０により制御される。
【００１６】
２０は画像処理部であり、Ａ／Ｄ変換器部１６からのデータ或いはメモリ制御部２２からのデータに対して所定の画素補間処理や色変換処理を行う。また２０の画像処理部によって画像の切り出し、変倍処理を行うことで電子ズーム機能が実現される。
【００１７】
また、画像処理部２０においては、撮像した画像データを用いて所定の演算処理を行う。それにより、システム制御部５０が、ＴＴＬ（スルー・ザ・レンズ）方式のＡＦ（オートフォーカス）処理、ＡＥ（自動露出）処理、ＡＷＢ（オートホワイトバランス）処理、ＥＦ（フラッシュプリ発光）処理を行っている。
【００１８】
２２はメモリ制御部であり、Ａ／Ｄ変換器部１６、タイミング発生部１８、画像処理部２０、画像表示メモリ部２４、Ｄ／Ａ変換器部２６、メモリ部３０、圧縮・伸長部３２を制御する。
【００１９】
Ａ／Ｄ変換器部１６のデータが画像処理部２０、メモリ制御部２２を介して、或いはＡ／Ｄ変換器部１６のデータが直接メモリ制御部２２を介して、画像表示メモリ部２４或いはメモリ部３０に書き込まれる。
【００２０】
２４は画像表示メモリ部、２６はＤ／Ａ変換器部、２８はＴＦＴやＬＣＤ等から成る画像表示部であり、画像表示メモリ部２４に書き込まれた表示用の画像データはＤ／Ａ変換器部２６を介して画像表示部２８により表示される。また、画像表示部２８を用いて撮像した画像データを逐次表示すれば、電子ファインダー機能を実現することが可能である。
【００２１】
画像表示部２８は、システム制御部５０の指示により任意に表示をＯＮ／ＯＦＦすることが可能であり、表示をＯＦＦにした場合には画像処理装置１００の電力消費を大幅に低減することが出来る。
【００２２】
３０は撮影した静止画像や動画像を格納するためのメモリ部であり、所定枚数の静止画像や所定時間の動画像を格納するのに十分な記憶量を備えている。これにより、複数枚の静止画像を連続して撮影する連写撮影やパノラマ撮影の場合にも、高速かつ大量の画像書き込みをメモリ部３０に対して行うことが可能となる。また、メモリ部３０はシステム制御部５０の作業領域としても使用することが可能である。
【００２３】
３２は適応離散コサイン変換（ＡＤＣＴ）等により画像データを圧縮伸長する圧縮・伸長部であり、メモリ部３０に格納された画像を読み込んで圧縮処理或いは伸長処理を行い、処理を終えたデータをメモリ部３０に書き込む。
【００２４】
４４は撮影レンズ１０のズーミングを制御するズーム制御手段である。
５０は画像処理装置１００全体を制御するシステム制御部、５２はシステム制御部５０の動作用の定数、変数、プログラム等を記憶するメモリ部である。
【００２５】
５４はシステム制御部５０でのプログラムの実行に応じて、文字、画像を用いて動作状態やメッセージ等を表示する液晶表示装置等の表示部である。例えばＬＣＤやＬＥＤ等の組み合わせにより構成されている。また、表示部５４は、その一部の機能が不図示の光学ファインダー内に設置されている。
【００２６】
表示部５４の表示内容のうち、ＬＣＤ等に表示するものとしては、圧縮率表示、記録画素数表示などがある。
【００２７】
５６は電気的に消去・記録可能な不揮発性メモリ部であり、例えばＥＥＰＲＯＭ等が用いられる。
【００２８】
６０、６２、６４、６６、７０、及び７２は、システム制御部５０の各種の動作指示を入力するための操作手段であり、スイッチやダイアル、タッチパネル、視線検知によるポインティング、音声認識装置等の単数或いは複数の組み合わせで構成される。
【００２９】
ここで、これらの操作手段の具体的な説明を行う。６０はモードダイアルスイッチで、自動撮影モード、撮影モード、パノラマ撮影モード、再生モード、マルチ画面再生・消去モード、ＰＣ接続モード等の各機能モードを切り替え設定することが出来る。
【００３０】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３１】
６４はシャッタースイッチＳＷ２で、不図示のシャッターボタンの操作完了でＯＮとなり、一連の処理の動作開始を指示する。すなわち、ＯＮ状態に応じて、撮像部１４から読み出した信号をＡ／Ｄ変換器部１６、メモリ制御部２２を介してメモリ部３０に画像データを書き込む露光処理が行われる。また、画像処理部２０やメモリ制御部２２での演算を用いた現像処理が行われる。さらに、メモリ部３０から撮像した画像データを読み出し、圧縮・伸長部３２で圧縮を行う。それにより、記録媒体２００或いは２１０に画像データを書き込む記録処理が行われる。
【００３２】
６６は電源スイッチ部で、電源オン及び電源オフを切り替え設定することが出来る。
【００３３】
７０は各種ボタンやタッチパネル等からなる操作部である。メニューボタン、セットボタン、マクロボタン、マルチ画面再生改ページボタン、フラッシュ設定ボタン、単写／連写／セルフタイマー切り替えボタンがある。また、メニュー移動＋（プラス）ボタン、メニュー移動−（マイナス）ボタン、再生画像移動＋（プラス）ボタンがある。また、再生画像移動−（マイナス）ボタン、撮影画質選択ボタン、露出補正ボタン、日付・時間設定ボタン等がある。また、上記プラスボタン及びマイナスボタンの各機能は、回転ダイアルスイッチを備えることによって、より軽快に数値や機能を選択することが可能となる。
【００３４】
７２はユーザーが撮像画像の倍率変更指示を行うズーム操作手段としてのズームスイッチ部である。以下、ズームスイッチ７２ともいう。このズームスイッチ７２は、撮像画角を望遠側に変更させるテレスイッチ（ＳＷ）と、広角側に変更させるワイドスイッチ（ＳＷ）からなる。このズームスイッチ７２を用いることにより、ズーム制御手段４４に撮影レンズ１０の撮像画角の変更を指示し光学ズーム操作を行うトリガとなる。また、画像処理回路２０による画像の切り出しや、画素補間処理などによる撮像画角の電子的な変更のトリガともなる。
【００３５】
９０及び９４はメモリカードやハードディスク等の記録媒体とのインタフェース部である。９２及び９６はメモリカードやハードディスク等の記録媒体と接続を行うコネクタ部である。
【００３６】
なお、本実施例では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。インターフェース及びコネクタとしては、ＰＣＭＣＩＡカードやＣＦ（コンパクトフラッシュ（登録商標））カード等の規格に準拠したものを用いて構成して構わない。
【００３７】
さらに、インタフェース部９０及び９４、そしてコネクタ部９２及び９６は、他のコンピュータやプリンタ等の周辺機器との間で画像データや画像データに付属した管理情報を転送し合うことが出来る。ただし、ＰＣＭＣＩＡカードやＣＦ（コンパクトフラッシュ（登録商標））カード等の規格に準拠した場合である。たとえば、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードである。
【００３８】
１１０は通信部で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００３９】
１１２は通信部１１０により画像処理装置１００を他の機器と接続するコネクタ部或いは無線通信の場合はアンテナ部である。
【００４０】
２００はメモリカードやハードディスク等の記録媒体である。記録媒体２００は、半導体メモリや磁気ディスク等から構成される記録部２０２、画像処理装置１００とのインタフェース部２０４、画像処理装置１００と接続を行うコネクタ部２０６を備えている。
【００４１】
２１０はメモリカードやハードディスク等の記録媒体である。記録媒体２１０は、半導体メモリや磁気ディスク等から構成される記録部２１２、画像処理装置１００とのインタフェース部２１４、画像処理装置１００と接続を行うコネクタ部２１６を備えている。
【００４２】
図２乃至図１５を参照して、本実施例の画像処理装置１００の動作を説明する。
【００４３】
＜メインルーチン＞
図２及び図３は本実施例の画像処理装置１００のメインルーチンのフローチャートを示す。特に記載しない限り、システム制御部５０により指示される。
【００４４】
モードダイアル部６０が撮影モードに設定されていたならば（Ｓ１０３）、Ｓ１１３に進む。
【００４５】
モードダイアル部６０がその他のモードに設定されていたならば（Ｓ１０３）、システム制御回路５０は選択されたモードに応じた処理を実行し（Ｓ１０４）、処理を終えたならばＳ１０３に戻る。
【００４６】
続いて、システム制御部５０はシステム制御部５０の内部メモリ或いはメモリ部５２に記憶される画像表示フラグの状態を判断する（Ｓ１１３）。画像表示フラグが設定されていたならば画像表示部２８の画像表示をＯＮ状態に設定し（Ｓ１１５）、さらに撮像した画像データを逐次表示するスルー表示状態に設定して（Ｓ１１６）、Ｓ１１９に進む。
【００４７】
スルー表示状態に於いては、電子ファインダー機能を実現している。これは、撮像部１４、Ａ／Ｄ変換器部１６、画像処理部２０、メモリ制御部２２を介して、画像表示メモリ２４に逐次書き込まれたデータをメモリ制御部２２、Ｄ／Ａ変換器部２６を介して画像表示部２８により逐次表示することにより実現される。
【００４８】
画像表示フラグが解除されていたならば（Ｓ１１３）、画像表示部２８の画像表示をＯＦＦ状態に設定して（Ｓ１１８）、Ｓ１１９に進む。画像表示ＯＦＦの場合は、画像表示部２８による電子ファインダー機能を使用せず、光学ファインダー１０４を用いて撮影を行う。この場合、電力消費量の大きい画像表示部２８やＤ／Ａ変換器２６等の消費電力を削減することが可能となる。
【００４９】
図３において、シャッタースイッチＳＷ１が押されていないならば（Ｓ１１９）、Ｓ１０３に戻る。シャッタースイッチＳＷ１が押されたならば（Ｓ１１９）、システム制御部５０はシステム制御部５０の内部メモリ或いはメモリ５２に記憶される画像表示フラグの状態を判断する（Ｓ１２０）。画像表示フラグが設定されていたならば画像表示部２８の表示状態をフリーズ表示状態に設定して（Ｓ１２１）、Ｓ１２２に進む。
【００５０】
フリーズ表示状態に於いては、撮像部１４、Ａ／Ｄ変換器部１６、画像処理部２０、メモリ制御部２２を介した画像表示メモリ２４の画像データ書き換えを禁止する。そして、最後に書き込まれた画像データを、メモリ制御部２２、Ｄ／Ａ変換器部２６を介して画像表示部２８により表示する。これにより、フリーズした映像を電子ファインダーに表示している。
【００５１】
画像表示フラグが解除されていたならば（Ｓ１２０）、Ｓ１２２に進む。
【００５２】
システム制御部５０は、ＡＦ処理を行って撮影レンズ１０の焦点を被写体に合わせ、ＡＥ処理を行って絞り値及びシャッター時間を決定する（Ｓ１２２）。
【００５３】
ＡＦ・ＡＥ処理Ｓ１２２を終えたならば、システム制御部５０はシステム制御部５０の内部メモリ或いはメモリ部５２に記憶される画像表示フラグの状態を判断する（Ｓ１２３）。画像表示フラグが設定されていたならば画像表示部２８の表示状態をスルー表示状態に設定して（Ｓ１２４）、Ｓ１２５に進む。なお、Ｓ１２４でのスルー表示状態は、Ｓ１１６でのスルー状態と同じ動作状態である。
【００５４】
シャッタースイッチＳＷ２が押されずに（Ｓ１２５）、さらにシャッタースイッチＳＷ１も解除されたならば（Ｓ１２６）、Ｓ１０３に戻る。
【００５５】
シャッタースイッチＳＷ２が押されたならば（Ｓ１２５）、システム制御部５０はシステム制御部５０の内部メモリ或いはメモリ部５２に記憶される画像表示フラグの状態を判断する（Ｓ１２７）。画像表示フラグが設定されていたならば画像表示部２８の表示状態を固定色表示状態に設定して（Ｓ１２８）、Ｓ１２９に進む。
【００５６】
固定色表示状態に於いては、撮像部１４、Ａ／Ｄ変換器部１６、画像処理部２０、メモリ制御部２２を介して画像表示メモリ部２４に書き込まれた撮影画像データの代わりに、差し替えた固定色の画像データを、メモリ制御部２２、Ｄ／Ａ変換器部２６を介して画像表示部２８により表示する。これにより、固定色の映像を電子ファインダーに表示している。
【００５７】
画像表示フラグが解除されていたならば（Ｓ１２７）、Ｓ１２９に進む。
【００５８】
Ｓ１２９では、システム制御部５０が撮像処理を実行する。具体的には、撮像部１２、Ａ／Ｄ変換器部１６、画像処理部２０、メモリ制御部２２を介して、或いはＡ／Ｄ変換器部１６から直接メモリ制御部２２を介して、メモリ部３０に撮像した画像データを書き込む露光処理を実行する。また、メモリ制御部２２そして必要に応じて画像処理部２０を用いて、メモリ部３０に書き込まれた画像データを読み出して各種処理を行う現像処理を実行する。
【００５９】
また、電子ズームの際における画像データの切り出しによる撮像画像の画角の変更や記録画素数に応じたリサイズ処理等も現像処理で行われる。この撮像処理Ｓ１２９の詳細は図４を用いて後述する。
【００６０】
なお、本実施例においては記録画素数は、ラージＬ、ミドルＭ、スモールＳ、そしてワイドＷがある。そして、上述のように約６００万のフォトダイオードを有する撮像部１４に対して、ラージＬは、２８１６×２１１２画素である。ミドルＭは、１６００×１２００画素数である。スモールＳは、６４０×４８０画素数である。そして、ワイドＷは、２８１６×１５８４画素数である。ただし、これらに限らず、フルＨＤ対応の記録画素数があってもよい。
【００６１】
システム制御部５０は、システム制御部５０の内部メモリ或いはメモリ部５２に記憶される画像表示フラグの状態を判断する（Ｓ１３０）。画像表示フラグが設定されていたならばクイックレビュー表示を行う（Ｓ１３３）。
【００６２】
画像表示フラグが解除されていたならば（Ｓ１３０）、システム制御部５０の内部メモリ或いはメモリ５２に記憶されるクイックレビューフラグの状態を判断する（Ｓ１３１）。クイックレビューフラグが設定されていたならば、画像表示部２８の画像表示をＯＮ状態に設定し（Ｓ１３２）、クイックレビュー表示を行う（Ｓ１３３）。
【００６３】
画像表示フラグが解除され（Ｓ１３０）、クイックレビューフラグも解除されていたならば（Ｓ１３１）、画像表示部２８がＯＦＦの状態のままＳ１３４に進む。
【００６４】
システム制御部５０は、メモリ部３０に書き込まれた撮影画像データを読み出して、メモリ制御回路２２そして必要に応じて画像処理部２０を用いて各種画像処理を行う。また、圧縮・伸長部３２を用いて設定したモードに応じた画像圧縮処理を行う。その後、記録媒体２００或いは２１０へ画像データの書き込みを行う記録処理を実行する（Ｓ１３４）。この記録処理Ｓ１３４の詳細は図６を用いて後述する。
【００６５】
記録処理Ｓ１３４が終了した際に、シャッタースイッチＳＷ２が押された状態であったならば（Ｓ１３５）、システム制御部５０はシステム制御部５０の内部メモリ或いはメモリ部５２に記憶される連写フラグの状態を判断する（Ｓ１３６）。連写フラグが設定されていたならば、連続して撮影を行うためにＳ１２９に戻り、次の撮影を行う。
【００６６】
連写フラグが設定されていないならば（Ｓ１３６）、シャッタースイッチＳＷ２が放されるまで（Ｓ１３５）、現在の処理を繰り返す。
【００６７】
記録処理Ｓ１３４が終了した際にシャッタースイッチＳＷ２が放された状態であった場合（Ｓ１３５）、所定のミニマムレビュー時間が経過した後にＳ１３８に進む（Ｓ１３７）。或いは、シャッタースイッチＳＷ２を押し続けてクイックレビュー表示を継続して撮影画像の確認を行った後にシャッタースイッチＳＷ２を放した状態の場合（Ｓ１３５）、所定のミニマムレビュー時間が経過した後にＳ１３８に進むようにしてもよい（Ｓ１３７）。
【００６８】
システム制御部５０は、画像表示フラグが設定されていたならば（Ｓ１３８）、画像表示部２８の表示状態をスルー表示状態に設定して（Ｓ１３９）、Ｓ１４１に進む。
【００６９】
画像表示フラグが解除されていたならば（Ｓ１３８）、画像表示部２８の画像表示をＯＦＦ状態に設定して（Ｓ１４０）、Ｓ１４１に進む。
【００７０】
シャッタースイッチＳＷ１が押された状態であったならば（Ｓ１４１）、システム制御部５０は、Ｓ１２５に戻って次の撮影に備える。
【００７１】
シャッタースイッチＳＷ１が放された状態であったならば（Ｓ１４１）、システム制御部５０は、一連の撮影動作を終えてＳ１０３に戻る。
【００７２】
＜撮像処理＞
図４は、図３のＳ１２９における撮像処理のフローチャートを示す。
【００７３】
システム制御部５０は、システム制御部５０の内部メモリ或いはメモリ部５２に記憶されるＡＥデータに従い、露光制御手段４０によって、絞り機能を有する不図示のシャッターを絞り値に応じて開放して撮像部１４を露光する（Ｓ３０１、Ｓ３０２）。
【００７４】
フラッシュ・フラグによりフラッシュ４８が必要か否かを判断し（Ｓ３０３）、必要な場合はフラッシュを発光させる（Ｓ３０４）。
【００７５】
システム制御部５０は、ＡＥデータに従って撮像部１４の露光終了を待ち（Ｓ３０５）、不図示のシャッターを閉じる（Ｓ３０６）。
【００７６】
システム制御部５０は、撮像部１２から電荷信号を読み出し、Ａ／Ｄ変換器部１６、画像処理部２０、メモリ制御部２２を介して、メモリ部３０に撮影画像のデータを書き込む（Ｓ３０７）。
【００７７】
設定された撮影モードに応じて、フレーム処理を行う必要があるならば次のようにする（Ｓ３０８）。すなわち、システム制御部５０は、メモリ制御部２２そして必要に応じて画像処理部２０を用いて、メモリ部３０に書き込まれた画像データを読み出して垂直加算処理や（Ｓ３０９）、色処理（Ｓ３１０）を順次行う。その後、メモリ部３０に処理を終えた画像データを書き込む。
【００７８】
設定された記録画素数や電子ズームの状態に応じて、電子的画角変更処理を行う（Ｓ３１１）。具体的には、システム制御部５０は、メモリ部３０に書き込まれた撮像部１４からの６００万画素の画像データを読み出し電子ズームの状態に応じた撮像画像からの画像データの切り出しを行う。これらは、メモリ制御部２２、画像処理部２０を用いて行われる。また、約６００万の撮像画像の画素数あるいはそこから切り出された撮像画像の画素数を記録画素数に合わせるための拡大・縮小処理からなるリサイズ処理を行う。メモリ部３０に処理を終えた画像データを書き込む。この電子的画角変更処理Ｓ３１１の詳細は図５を用いて後述する。
【００７９】
システム制御回路５０は、メモリ３０から画像データを読み出し、メモリ制御回路２２を介して画像表示メモリ２４に表示画像データの転送を行う（Ｓ３１３）。
【００８０】
一連の処理を終えたならば、撮像処理ルーチンＳ１２９を終了する。
【００８１】
＜電子的画角変更処理＞
図５は、図４のＳ３１１におけるリサイズ処理を含む電子的画角変更処理のフローチャートを示す。
【００８２】
システム制御部５０は、現在のズーム状態を調べ、電子ズーム中であるならば次のような処理を行う（Ｓ３１４）。すなわち、メモリ部３０から画像データを読み出す。そして、画像処理部２０を用いて６００万画素の画像データから電子ズーム倍率に応じたサイズの切り出しを行い（Ｓ３１５）、電子的に画角の変更を行う。
【００８３】
続いて、システム制御部５０は、切り出した画像の画素数と設定されている記録画素数とを比較する。切り出した画像の画素数の方が小さければ（Ｓ３１６）、画像処理部２０を用いて切り出した画像の画素数を記録画素数にリサイズする拡大処理を行う（Ｓ３１７）。これは、例えば、画素補間などによる。このようにしてリサイズ処理された画像データは、メモリ制御部２２を介して、メモリ部３０に処理を終えた画像データを書き込む。この切り出し・拡大処理からなるフローが、記録される画像の劣化が生じるズーム領域での電子的画角変更処理に相当する。拡大処理では画像データの補間を行うため画質劣化は避けられない。
【００８４】
また、切り出した画像の画素数と設定されている記録画素数とを比較し、等しければ次のような処理を行う（Ｓ３１８）。すなわち、倍率変更処理を行わずそのままメモリ制御部２２を介して、メモリ３０に処理を終えた画像データを書き込む。
【００８５】
そして、切り出した画像の画素数と設定されている記録画素数とを比較し、切り出した画像の画素数の方が大きければ次のような処理を行う（Ｓ３１８）。すなわち、画像処理部２０を用いて切り出した画像の画素数を記録画素数にリサイズする縮小処理を行う（Ｓ３１９）。そして、メモリ制御部２２を介して、メモリ３０に処理を終えた画像データを書き込む。この切り出し・縮小処理をからなるフローが、記録される画像の劣化が生じないズーム領域での電子的な画角変更処理に相当する。
【００８６】
電子ズーム中でないならば（Ｓ３１４）、電子的に画角変更は行わない。具体的には、メモリ部３０から画像データを読み出し、そのままＳ３２０へ進む。システム制御部５０は、撮像画像の画素数と設定されている記録画素数とを比較する。画像データサイズと記録サイズが等しければ（Ｓ３２０）、リサイズ処理をせずにそのままメモリ制御部２２を介して、メモリ３０に処理を終えた画像データを書き込む。一方、撮像画像の画素数の方が大きければ（Ｓ３２０）、画像処理部２０を用いて撮像画像の画素数を記録画素数にリサイズする縮小処理を行う（Ｓ３２１）。これは、例えば間引き処理などによる。そして、リサイズ処理された画像データは、メモリ制御部２２を介して、メモリ３０に処理を終えた画像データを書き込む。一連の処理を終えたならば、電子的画角変更処理ルーチンＳ３１１を終了する。
【００８７】
本実施例では、上述のように撮像部１４から約６００万画素が出力され、記録画素数がラージＬ以外の場合には縮小処理によるリサイズが行われる。ラージＬは本実施例では約６００万画素だからである。したがって、画角変更する際に、記録画素数に応じて縮小処理のリサイズ処理と拡大処理のリサイズ処理との切り換わりポイントが異なる。すなわち、光学ズーム領域から更に電子ズーム領域において画角を変更する際、ラージＬ、ミドルＭ、スモールＳの順に切り換わりポイントがより高倍率の画角の場合になる。この点、表示部５４のＬＣＤ等の画素数には依存しない。したがって、画像表示部２８のＬＣＤ等に対して、拡大処理する場合でも記録画素数に対しては、縮小処理を行う場合や、その逆の場合もある。画像表示部２８への表示は記録系とは別に撮像画像を画像表示部２８用に画素を間引き処理された画像を作成するからである。
【００８８】
＜記録処理＞
図６は、図３のＳ１３４における記録処理のフローチャートを示す。
【００８９】
システム制御部５０は、メモリ部３０に書き込まれた画像データを読み出して撮像素子の縦横画素比率を１：１に補間する画素正方化処理を行う（Ｓ４０１）。これは、メモリ制御部２２、そして必要に応じて画像処理回路２０を用いる。画素正方化処理の後、メモリ３０に処理を終えた画像データを書き込む。
【００９０】
そして、メモリ３０に書き込まれた画像データを読み出して、設定したモードに応じた画像圧縮処理を圧縮・伸長回路３２により行う（Ｓ４０２）。その後、インタフェース９０或いは９４、コネクタ９２或いは９６を介して、メモリカードやコンパクトフラッシュ（登録商標）カード等の記録媒体２００或いは２１０へ圧縮した画像データの書き込みを行う（Ｓ４０３）。
【００９１】
記録媒体への書き込みが終わったならば、記録処理ルーチンＳ１３４を終了する。
【００９２】
続いて、図７乃至図９を用いて、ズームスイッチ７２が操作された際の、本実施例の画像処理装置１００のズーム処理を説明する。
【００９３】
＜ズームスイッチの操作＞
図７は本実施例の画像処理装置１００のズーム処理フローチャートを示す。
ズームスイッチ７２の操作により、システム制御部５０はズーム処理を開始する。システム制御部５０は、ズームスイッチ７２の状態を調べ（Ｓ５０１），テレスイッチがＯＮならば、望遠側に画角変更を行うテレ方向ズーム処理（Ｓ５０２）に進む。一方、ワイドスイッチがＯＮならば広角側に画角変更を行うワイド方向ズーム処理（Ｓ５０３）に進む。テレ方向ズーム処理（Ｓ５０２）およびワイド方向ズーム処理（Ｓ５０３）の詳細はそれぞれ図８、図９を用いて後述する。ズーム処理が完了したらリターンする。
【００９４】
＜テレ方向の際のズーム処理＞
図８は、図７のＳ５０２におけるテレ方向ズーム処理のフローチャートを示す。
【００９５】
システム制御部５０は、現在のズームポジションが、第２の電子ズーム領域であるかどうかを判定する（Ｓ６０１）。第２の電子ズーム領域では、撮影の際に画像処理部２０を用いて画像データを切り出し、さらに画素補間等によるリサイズ処理で拡大処理をして記録する。第２の電子ズーム領域でなかったら（Ｓ６０１）、Ｓ６０２に進む。すでにテレスイッチがＯＦＦされていたならば（Ｓ６０２）、テレ方向ズーム処理Ｓ５０２を終了する。
【００９６】
テレスイッチがＯＮのままならば（Ｓ６０２）、光学ズームがテレ端、つまり撮影レンズ１０が最も望遠側になっているかを判定する（Ｓ６０４）。光学ズームがテレ端でなければ、ズームポジションは光学ズーム領域である。本実施例では、光学ズームを電子ズームよりも優先しているからである。したがって、ズーム制御手段４４に撮影レンズ１０の望遠側へのズーミングを指示し光学ズーム処理を行い（Ｓ６０５）、Ｓ６０２に戻る。
【００９７】
光学ズームがテレ端ならば、ズームポジションは、第１の電子ズーム領域である。第１の電子ズーム領域では、撮影の際に画像処理部２０を用いて画像データを切り出して記録または切り出し、間引き等によるリサイズ処理で縮小処理をして記録する。
【００９８】
電子ズーム倍率が第１の電子ズーム領域の最大倍率に達していなかったならば（Ｓ６０６）、画像処理部２０による画像の切り出し領域を小さくし電子ズーム倍率をＵＰする（Ｓ６０７）。そして、Ｓ６０２に戻る。現在のズームポジションが第１の電子ズーム領域の最大倍率に達していたならば（Ｓ６０６）、システム制御部５０は、ズームスイッチ７２の状態を調べる（Ｓ６０８）。テレスイッチがＯＮされたままならば、テレスイッチがＯＦＦされるまで（Ｓ６０８）、現在の処理を繰り返す。すなわち、撮像画像の画角の変更を行わない。すなわち、ユーザが操作してもそれに制限を設けている。また、テレスイッチがＯＦＦされたら（Ｓ６０８）、テレ方向ズーム処理Ｓ５０２を終了する。
【００９９】
一方、Ｓ６０１において、第２の電子ズーム領域だったら、Ｓ６０３に進む。すでにテレスイッチがＯＦＦされていたならば（Ｓ６０３）、テレ方向ズーム処理Ｓ５０２を終了する。テレスイッチがＯＮのままならば（Ｓ６０３）、Ｓ６０９に進む。現在のズームポジションが第２の電子ズームの最大倍率に達していなかったならば（Ｓ６０９）、画像処理部２０による画像の切り出し領域を小さくし電子的に画角を変える（Ｓ６１０）。現在のズームポジションが第２の電子ズームの最大倍率に達していたならば（Ｓ６０９）、システム制御部５０は、ズームスイッチ７２の状態を調べる（Ｓ６１１）。テレスイッチがＯＮされたままならば、テレスイッチがＯＦＦされるまで（Ｓ６１１）、現在の処理を繰り返す。テレスイッチがＯＦＦされたら（Ｓ６１１）、テレ方向ズーム処理Ｓ５０２を終了する。
【０１００】
＜ワイド方向の際のズーム処理＞
図９は、図７のＳ５０３におけるワイド方向ズーム処理のフローチャートを示す。
【０１０１】
システム制御部５０は、現在のズームポジションが、第２の電子ズーム領域であるかどうかを判定する（Ｓ６２１）。第２の電子ズーム領域でなかったら（Ｓ６２１）、Ｓ６２２に進む。すでにワイドスイッチがＯＦＦされていたならば（Ｓ６２２）、ワイド方向ズーム処理Ｓ５０３を終了する。ワイドスイッチがＯＮのままならば（Ｓ６２２）、第１の電子ズーム領域であるかを判定する（Ｓ６２４）。第１の電子ズーム領域であるならば、画像処理回路２０による画像の切り出し領域を大きくし電子ズーム倍率をＤＯＷＮし（Ｓ６２５）、Ｓ６２２に戻る。第１の電子ズーム領域でないならば（Ｓ６２４）、光学ズームがワイド端、つまり撮影レンズ１０が最も広角側になっているかを判定する（Ｓ６２６）。光学ズームがワイド端でなければ、ズーム制御手段４４に撮影レンズ１０の広角側へのズーミングを指示し光学ズーム処理を行い（Ｓ６２７）、Ｓ６２２に戻る。光学ズームがワイド端ならば、システム制御部５０は、ズームスイッチ７２の状態を調べ（Ｓ６２８）、ワイドスイッチがＯＮされたままならば、ワイドスイッチがＯＦＦされるまで（Ｓ６２８）、現在の処理を繰り返す。ワイドスイッチがＯＦＦされたら（Ｓ６２８）、ワイド方向ズーム処理Ｓ５０３を終了する。第２の電子ズーム領域の場合には（Ｓ６２１）、Ｓ６２３に進む。すでにワイドスイッチがＯＦＦされていたならば（Ｓ６２３）、ワイド方向ズーム処理Ｓ５０３を終了する。ワイドスイッチがＯＮのままならば（Ｓ６２３）、Ｓ６２９に進む。電子ズームによるズームポジションが第１の電子ズーム領域の最大倍率に達していなかったならば（Ｓ６２９）、電子的に画角を大きくする（Ｓ６３０）。これは、画像処理部２０による画像の切り出し領域を大きくすることにより行う。電子ズーム倍率が第１の電子ズームによるズームポジションが最大倍率に達していたならば（Ｓ６２９）、システム制御部５０は、ズームスイッチ７２の状態を調べる（Ｓ６３１）。ワイドスイッチがＯＮされたままならば、ワイドスイッチがＯＦＦされるまで（Ｓ６３１）、現在の処理を繰り返す。ワイドスイッチがＯＦＦされたら（Ｓ６３１）、ワイド方向ズーム処理Ｓ５０３を終了する。
【０１０２】
以上のように、テレ方向に撮像画角を変更する場合は第１の電子ズーム領域と第２の電子ズーム領域との移行の際、ズームスイッチをＯＮしたままにしてもそれ以上電子ズーム処理をせず停止する。また、ズームスイッチを一旦ＯＦＦしてから再度ＯＮすれば引き続き電子ズーム処理を行う。
【０１０３】
このようにすることで、モード切り替え等の面倒な操作なしに、切り出し後そのまままたは縮小して記録する画質劣化のない第１の電子ズームと切り出し後に拡大して記録する画質劣化の生じる第２の電子ズームを使い分けることが可能となる。
【０１０４】
なお、上記説明ではズームスイッチを一旦ＯＦＦしてから再度ＯＮすれば引き続き電子ズーム処理を行う構成で説明した。この点、所定時間ズームスイッチをＯＮし続けることで引き続き電子ズーム処理を行うようにしてもよい。
【０１０５】
＜別の実施例１＞
なお、ズームスイッチ７２が操作された際の、画像処理装置１００の図７のＳ５０３におけるワイド方向ズーム処理は、次のようにワイド方向ズーム処理２としてもよい。
【０１０６】
図１０は、ワイド方向ズーム処理２の詳細なフローチャートを示す。このワイド方向へのズーム処理は、前述した第１、第２の電子ズーム領域間の移行を区別せずに操作トリガに従うものである。
【０１０７】
システム制御部５０は、ズームスイッチ７２の状態を調べ（Ｓ６６１）、すでにワイドスイッチがＯＦＦされていたならば（Ｓ６６１）、ワイド方向ズーム処理２を終了する。ワイドスイッチがＯＮのままならば（Ｓ６６１）、光学ズーム領域でなく電子ズーム領域であるかを判定する（Ｓ６６２）。電子ズーム領域であるならば、画像処理部２０による画像の切り出し領域を大きくし電子ズーム倍率をＤＯＷＮし（Ｓ６６３）、Ｓ６６１に戻る。電子ズーム領域でないならば（Ｓ６６２）、光学ズームがワイド端、つまり撮影レンズ１０が最も広角側になっているかを判定し（Ｓ６６４）、光学ズームがワイド端でなければ、ズーム制御手段４４に撮影レンズ１０の広角側へのズーミングを指示し光学ズーム処理を行い（Ｓ６６５）、Ｓ６６１に戻る。光学ズームがワイド端ならば、システム制御回路５０は、ズームスイッチ７２の状態を調べ（Ｓ６６６）、ワイドスイッチがＯＮされたままならば、ワイドスイッチがＯＦＦされるまで（Ｓ６６６）、現在の処理を繰り返す。ワイドスイッチがＯＦＦされたら（Ｓ６６６）、ワイド方向ズーム処理２を終了する。
【０１０８】
以上のように、テレ方向に撮像画角を変更する場合は第１の電子ズーム領域から第２の電子ズーム領域への移行の際、ズームスイッチをＯＮしたままにしてもそれ以上電子ズーム処理をせず停止する。一方で、ズームスイッチを一旦ＯＦＦしてから再度ＯＮすれば引き続き電子ズーム処理を行う。
【０１０９】
また、ワイド方向に撮像画角を変更する場合は、第２の電子ズーム領域から第１の電子ズーム領域への移行の際でも停止せず、電子ズーム処理を続ける。このようにすることで、テレ方向の撮像画角を変更において画質が劣化する方向の際、ズームスイッチをＯＮにしたままにしても停止するため誤操作による画質劣化を防げる。さらに、ワイド方向への撮像画角を変更においては、画質劣化のある第２の電子ズームから戻るときには余計な操作なしにズーム可能とする。
【０１１０】
なお、上記説明ではズームスイッチを一旦ＯＦＦしてから再度ＯＮすれば引き続き電子ズーム処理を行う構成で説明した。この点、所定時間ズームスイッチをＯＮし続けることで引き続き電子ズーム処理を行うようにしてもよい。
【０１１１】
＜別の実施例２＞
また、ズームスイッチ７２が操作された際の、図８の画像処理装置１００のズーム処理は、図１１、図１２のように静止画撮影の際と動画記録の際とで別にしてもよい。
【０１１２】
図１１は別の実施形態における画像処理装置１００のズーム処理のフローチャートを示す。図７に対応する。
【０１１３】
ズームスイッチ７２の操作により、システム制御部５０はズーム処理を開始する。システム制御部５０は、ズームスイッチ７２の状態を調べる（Ｓ５２１）。テレスイッチがＯＮならば、Ｓ５２２に進む。
【０１１４】
現在の撮像モードを調べ静止画撮像モードならば（Ｓ５２２）テレ方向ズーム処理（Ｓ５２４）に進む。一方、動画記録モードならば（Ｓ５２２）テレ方向ズーム処理２（Ｓ５２５）に進む。
【０１１５】
現在の撮影モードを調べ静止画撮像モードならば（Ｓ５２３）ワイド方向ズーム処理（Ｓ５２６）に進む。一方、動画記録モードならば（Ｓ５２３）ワイド方向ズーム処理２（Ｓ５２７）に進む。テレ方向ズーム処理（Ｓ５２４）は図８のＳ５０２と、ワイド方向ズーム処理（Ｓ５２６）は図８のＳ５０３と、ワイド方向ズーム処理２（Ｓ５２７）は図１１のＳ５１３と同じため、詳細は省略する。テレ方向ズーム処理２（Ｓ５２５）の詳細は図１３を用いて後述する。ズーム処理が完了したらリターンする。
【０１１６】
＜別の実施例３＞
図１２は別の実施例３における画像処理装置１００のズーム処理のフローチャートを示す。図１２で説明するフローは、図１１で説明したフローに対して、更に動画記録中であるか否かを要素として盛り込んだものである。
【０１１７】
ズームスイッチ７２の操作により、システム制御部５０はズーム処理を開始する。システム制御部５０は、ズームスイッチ７２の状態を調べ（Ｓ５４１），テレスイッチがＯＮならば、Ｓ５４２に進む。現在の撮像モードを調べ静止画撮像モードならば（Ｓ５４２）テレ方向ズーム処理（Ｓ５４４）に進む。動画撮像モードならば（Ｓ５４２）、記録中かどうか判定する（Ｓ５４５）。
【０１１８】
動画記録中であったならば（Ｓ５４５）テレ方向ズーム処理２（Ｓ５４６）に進む。一方、動画記録中でなかったならば（Ｓ５４５）テレ方向ズーム処理（Ｓ５４４）に進む。ワイドスイッチがＯＮならばＳ５４３に進む。現在の撮像モードを調べる。
【０１１９】
静止画撮像モードならば（Ｓ５４３）ワイド方向ズーム処理（Ｓ５４７）に進む。一方、動画撮像モードならば（Ｓ５４３）、記録中かどうか判定する（Ｓ５４８）。
【０１２０】
動画記録中であったならば（Ｓ５４８）ワイド方向ズーム処理２（Ｓ５４９）に進む。一方、動画記録中でなかったならば（Ｓ５４８）ワイド方向ズーム処理（Ｓ５４７）に進む。テレ方向ズーム処理（Ｓ５４４）は図８のＳ５０２と、ワイド方向ズーム処理（Ｓ５４７）は図８のＳ５０３と、ワイド方向ズーム処理２（Ｓ５４９）は図１１のＳ５１３と同じため詳細は省略する。テレ方向ズーム処理２（Ｓ５４６）の詳細は図１５を用いて後述する。ズーム処理が完了したらリターンする。
【０１２１】
＜テレ方向ズーム処理２＞
図１３は、図１１のＳ５２５および、図１２のＳ５４６におけるテレ方向ズーム処理２の詳細なフローチャートを示す。
【０１２２】
システム制御部５０は、ズームスイッチ７２の状態を調べ（Ｓ６４１）、すでにテレスイッチがＯＦＦされていたならば（Ｓ６４１）、テレ方向ズーム処理２  Ｓ５２５、Ｓ５４６を終了する。テレスイッチがＯＮのままならば（Ｓ６４１）、光学ズームがテレ端、つまり撮影レンズ１０が最も望遠側になっているかを判定し（Ｓ６４２）、光学ズームがテレ端でなければ、ズーム制御手段４４に撮影レンズ１０の望遠側へのズーミングを指示し光学ズーム処理を行い（Ｓ６４３）、Ｓ６４１に戻る。光学ズームがテレ端ならば、Ｓ６４４に進む。電子ズーム倍率が最大倍率に達していなかったならば（Ｓ６４４）、画像処理部２０による画像の切り出し領域を小さくし電子ズーム倍率をＵＰし（Ｓ６４５）、Ｓ６４１に戻る。電子ズーム倍率が最大倍率に達していたならば（Ｓ６４４）、システム制御部５０は、ズームスイッチ７２の状態を調べ（Ｓ６４６）、テレスイッチがＯＮされたままならば、テレスイッチがＯＦＦされるまで（Ｓ６４６）、現在の処理を繰り返す。テレスイッチがＯＦＦされたら（Ｓ６４６）、テレ方向ズーム処理２  Ｓ５２５、Ｓ５４６を終了する。
【０１２３】
以上のように、図１１、図１２で説明したように動画モードの場合、動画記録を行っている場合にはスムーズで見栄えのよい動画記録を行うことができる。すなわち、テレ方向に撮像画角を変更する場合は第１、第２の電子ズーム領域間の移行において操作上の制限を加えない。したがって、スムーズにズーミングする動画を記録することができる。
【０１２４】
＜ズーム操作による表示＞
続いて、図１４乃至図１５を用いて、ズームスイッチ７２が操作された際の表示例について説明する。
【０１２５】
図１４は撮像装置１００のズーム操作時の表示部５４による画面の一例である。１００１はズームバーであり、現在のズームポジション、つまりズーム倍率がどの程度かを示している。さらに、ズームバー１００１は、ズームスイッチ７２の操作によりバーの長さが変動する。
【０１２６】
図１５は、光学ズームにおけるワイド端から電子ズームにおける最大倍率までズームしていった場合の各ズームポジションにおけるズームバー表示の様子である。１００２は光学ズーム領域、１００３は電子ズーム領域であり、１００４が光学ズームテレ端（光学ズームと電子ズームの境界）を示す線である。また、１００５は撮影の際に撮像画像から切り出した画像をそのまままたはリサイズ処理としての縮小処理をした後に記録する第１の電子ズーム領域である。一方、１００６は撮像画像から切り出した画像をリサイズ処理としての拡大処理をした後に記録する第２の電子ズーム領域である。
【０１２７】
図のように光学ズーム領域、第１の電子ズーム領域、第２の電子ズーム領域でズームバー１００１の表示色を変更することで、ユーザーがどのズーム領域にいるかを容易に理解でき、画質劣化を避けたいときに誤って画質劣化のある第２の電子ズームを使用してしまうといったことを防ぐことができる。
【０１２８】
なお、上記ズーム操作による表示はズームバー表示の例を説明した。この点、ズームバー表示の代わりにズーム倍率を表示する場合も同様に、光学ズーム領域、第１の電子ズーム領域、第２の電子ズーム領域でズーム倍率表示の表示色を変更するようにしてもよい。表示色を変えてズーム倍率を表示することで、ズームバー表示の場合と同様の効果が得られる。
【図面の簡単な説明】
【０１２９】
【図１】本実施例の構成ブロック図である。
【図２】本実施例のメインルーチンのフローチャートの一部である。
【図３】本実施例のメインルーチンのフローチャートの一部である。
【図４】本実施例の撮影ルーチンのフローチャートである。
【図５】本実施例の撮影ルーチンにおけるリサイズ処理のフローチャートである。
【図６】本実施例の記録ルーチンのフローチャートである。
【図７】本実施例のズーム処理のフローチャートである。
【図８】本実施例のテレ方向ズーム処理のフローチャートである。
【図９】本実施例のワイド方向ズーム処理のフローチャートである。
【図１０】本実施例のワイド方向ズーム処理２のフローチャートである。
【図１１】本実施例のズーム処理の別の実施形態のフローチャートである。
【図１２】本実施例のズーム処理の別の実施形態のフローチャートである。
【図１３】本実施例のテレ方向ズーム処理２のフローチャートである。
【図１４】本実施例のズーム操作時の表示画面の一例である。
【図１５】本実施例のズームバー表示の一例である。
【符号の説明】
【０１３０】
１０  撮影レンズ
１４  撮像部
１６  Ａ／Ｄ変換器部
１８  タイミング発生部
２０  画像処理部
２２  メモリ制御部
２４  画像表示メモリ部
２６  Ｄ／Ａ変換器部
２８  画像表示部
３０  メモリ部
３２  画像圧縮・伸長部
４４  ズーム制御手段
５０  システム制御部
５２  メモリ
５４  表示部
５６  不揮発性メモリ
６０  モードダイアルスイッチ
６２  シャッタースイッチＳＷ１
６４  シャッタースイッチＳＷ２
６６  電源スイッチ部
７０  操作部
７２  ズームスイッチ部
９０  インタフェース部
９２  コネクタ部
９４  インタフェース部
９６  コネクタ部
１００  画像処理装置
１１０  通信手段
１１２  コネクタ部（またはアンテナ）
２００  記録媒体
２０２  記録部
２０４  インタフェース部
２０６  コネクタ部
２１０  記録媒体
２１２  記録部
２１４  インタフェース部
２１６  コネクタ部
１００１  ズームバー
１００２  光学ズーム領域
１００３  電子ズーム領域
１００４  光学ズームテレ端
１００５  第１の電子ズーム領域
１００６  第２の電子ズーム領域
【図１】
2008042847.tif 000003
【図２】
2008042847.tif 000004
【図３】
2008042847.tif 000005
【図４】
2008042847.tif 000006
【図５】
2008042847.tif 000007
【図６】
2008042847.tif 000008
【図７】
2008042847.tif 000009
【図８】
2008042847.tif 000010
【図９】
2008042847.tif 000011
【図１０】
2008042847.tif 000012
【図１１】
2008042847.tif 000013
【図１２】
2008042847.tif 000014
【図１３】
2008042847.tif 000015
【図１４】
2008042847.tif 000016
【図１５】
2008042847.tif 000017